(57)【要約】【課題】着席者の骨盤の後方への回転を抑制し、着席者の直立姿勢に近い脊椎Ｓ字カーブを維持して、長時間の座りに対する痛みや疲労感を低減する。【解決手段】座枠２の前枠３と後枠６との間に屈曲性を有する座部シート１３を配置するとともに、該座部シート１３の前縁部１３ａを前記前枠３に固着し、座部シート１３の後縁部１３ｄを前記後枠６に、該座部シート１３の後縁部を後枠６の方向へ付勢する付勢手段１４を介して連結する。【選択図】図２
2009106345.tif 000002
【特許請求の範囲】
【請求項１】
座枠の前枠と後枠との間に屈曲性を有する座部シートを配置するとともに、該座部シートの前縁部を前記前枠に固着し、座部シートの後縁部を前記後枠に、該座部シートの後縁部を後枠の方向へ付勢する付勢手段を介して連結したことを特徴とする椅子。
【請求項２】
前記座部シートを布バネで形成したことを特徴とする請求項１記載の椅子。
【請求項３】
前記布バネを、座枠の前後方向の伸び率が、左右方向の伸び率より小さい布バネで形成したことを特徴とする請求項２記載の椅子。
【請求項４】
前記付勢手段をコイルバネで形成したことを特徴とする請求項１又は２又は３記載の椅子。
【請求項５】
前記座部シートの左右側縁における所定範囲の前部を座枠の左右枠に固着し、所定範囲の後部を座枠の左右枠に固着しないことを特徴とする請求項１乃至４のいずれか１項に記載の椅子。
【請求項６】
前記座部シートの左右側縁部の全長が、座枠の左右枠に固着されていないことを特徴とする請求項１乃至４のいずれか１項に記載の椅子。
【請求項７】
前記後枠と前記座部シートの後縁部に、夫々左右方向に取付け用ワイヤーを固着し、該両ワイヤー間に前記付勢手段を介在したことを特徴とする請求項１乃至６のいずれか１項に記載の椅子。
【発明の詳細な説明】
【技術分野】
【０００１】
本発明は椅子に関するもので、より詳しくは、椅子の座部構造に関するものである。
【背景技術】
【０００２】
従来、椅子の座部において、体重を支承する構造として、図１０の模式図に示すように、硬い合板１０１の上に薄いクッション材１０２を敷設したもの（従来技術１）や、図１１に示すように、前後方向及び左右方向に伸縮する布バネ１０３上に薄いクッション材１０４を敷設したもの（従来技術２）や、更には、厚肉のクッション材で構成したもの（従来技術３）が知られている。なお、前記従来技術２を特許文献１とする。
【特許文献１】特開平１１−５６５２２号公報
【発明の開示】
【発明が解決しようとする課題】
【０００３】
前記従来技術１のものにおいては、座部のクッション性が低く、着席した場合に臀部３０が底付きし、図１０に示すように骨盤３２が後方へ回転し、鉛直線に対する骨盤３２の後方への回転角θ１が大きくなる。
【０００４】
また、前記従来技術２（特許文献１）においては、前記のような底付感はないが、臀部３０の沈み込み時に、骨盤３２の後方回転を抑制する部分がなく、骨盤３２の後方への回転角θ２が大きくなる。
【０００５】
また、前記従来技術３においても、前記従来技術２と同様に骨盤３２の後方への回転角が大きくなる。
【０００６】
このように、骨盤３２が大きく後方へ回転すると、着席時に直立姿勢に近い脊椎Ｓ字カーブを維持できず、長時間座ると、痛みや疲労感が出てくる問題がある。
【０００７】
そこで、本発明は、着席時に、骨盤の後方への回転を抑制し、直立姿勢に近い脊椎Ｓ字カーブを維持でき、長時間の着席においても痛みや疲労感が少ない椅子を提供することを目的とするものである。
【課題を解決するための手段】
【０００８】
前記課題を解決するために、請求項１記載の発明は、座枠の前枠と後枠との間に屈曲性を有する座部シートを配置するとともに、該座部シートの前縁部を前記前枠に固着し、座部シートの後縁部を前記後枠に、該座部シートの後縁部を後枠の方向へ付勢する付勢手段を介して連結したことを特徴とするものである。
【０００９】
請求項２記載の発明は、請求項１記載の発明において、前記座部シートを布バネで形成したことを特徴とするものである。
【００１０】
請求項３記載の発明は、請求項２記載の発明において、前記布バネを、座枠の前後方向の伸び率が、左右方向の伸び率より小さい布バネで形成したことを特徴とするものである。
【００１１】
請求項４記載の発明は、請求項１又は２又は３記載の発明において、前記付勢手段をコイルバネで形成したことを特徴とするものである。
【００１２】
請求項５記載の発明は、請求項１乃至４のいずれか１項に記載の発明において、前記座部シートの左右側縁における所定範囲の前部を座枠の左右枠に固着し、所定範囲の後部を座枠の左右枠に固着しないことを特徴とするものである。
【００１３】
請求項６記載の発明は、請求項１乃至４のいずれか１項に記載の発明において、前記座部シートの左右側縁部の全長が、座枠の左右枠に固着されていないことを特徴とするものである。
【００１４】
請求項７記載の発明は、請求項１乃至６のいずれか１項に記載の発明において、前記後枠と前記座部シートの後縁部に、夫々左右方向に取付け用ワイヤーを固着し、該両ワイヤー間に前記付勢手段を介在したことを特徴とするものである。
【発明の効果】
【００１５】
本発明は、座部シートの後縁部を、後枠の方向へ付勢する付勢手段を介して後枠へ連結したので、着席時において、座部シートの後部が着席者の臀部の後側に当接し、着席者の骨盤の後方への回転を抑制する。そのため、着席者の直立姿勢に近い脊椎Ｓ字カーブを維持でき、長時間の座りに対する痛みや疲労感を低減することができる。
【００１６】
更に、座部シートに布バネを使用するとともに、その布バネを、前後方向の伸び率が左右方向の伸び率よりも小さいように設定して配置することにより、前記のような骨盤の後方への回転抑制と、大腿部のサポート感が増し、一層座り心地が良い椅子を提供できる。
【００１７】
更に、請求項７記載の発明によれば、布バネに対する付勢手段の付勢力が布バネの後部全長にわたって均等に作用させることができる。
【発明を実施するための最良の形態】
【００１８】
本発明を実施するための最良の形態を図１乃至図９に示す実施例に基づいて説明する。
【実施例１】
【００１９】
図１乃至図５は実施例１を示すもので、図１乃至図３は座部と背もたれ部のクッション材等の表皮材を省略した図、図４は座部にクッション材等の表皮材を張設し、背もたれ部は表皮材等を省略して布バネのみを示した図である。
【００２０】
本発明の椅子１の座部を構成する座枠２は、前枠３と両側枠４、５と、後枠６とからなり、その四隅に配置した前脚７と後脚８で支持されている。また、背もたれを構成する背枠９は、前記両後脚８を上方へ延長してなる両側枠１０、１１と、これらの上端に横架した上枠１２で構成されている。
【００２１】
次に、座部について説明する。
前記前枠３の上面は、その左右方向の中央部が下降するように湾曲している。また、後枠６は、左右方向の中央部が後方へ曲がった湾曲状に形成されている。
【００２２】
前記座枠２の四方の枠間には、屈曲可能な座部シート１３が配置されており、該座部シート１３の前縁部１３ａが座枠２の前枠３に固着され、左側縁１３ｂが左側枠４に固着され、右側縁１３ｃが右側枠５に固着されている。また、座部シート１３の後縁部１３ｄは、直接後枠６に固着することなく、付勢手段１４を介して後枠６に連結され、該付勢手段１４により座部シート１３の後縁部１３ｄが後枠６側へ常時付勢されて支持されている。
【００２３】
前記座部シート１３は、着席者の荷重を支承でき、かつ、屈曲性を有する布等を用いることができるが、特に布バネを用いると良く、実施例では布バネを用いている。そのため、以下の説明では、該座部シートを布バネ１３として説明する。
【００２４】
ここに、布バネ１３とは、その経方向と緯方向の一方又は双方が伸縮する布であり、例えば、ミリケン・アンド・カンパニー社のジェムストーンやデュポン社のダイメトロール（商標）と称される布である。
【００２５】
実施例においては、一方向の伸び率が他方向の伸び率よりも大きい布バネを使用し、これを、椅子１の前後方向（図２においてＹ−Ｙ方向）の伸び率が左右方向（図２のＸ−Ｘ方向）の伸び率よりも小さくなるように配置され、前後方向の伸びが無いか或いは極めて小さいように設定されている。
【００２６】
前記布バネ１３における前縁部１３ａは、その左右方向の全長にわたって、タッカーやステープル等の適宜な固着手段１５により前枠３に固着されている。
【００２７】
布バネ１３における両側縁部１３ｂ、１３ｃは、図２に示すように、その布バネ１３の前後方向の全長にわたって両側枠４，５に固着することなく、布バネ１３の前後方向の前部において所定範囲にわたって両側枠４、５に、タッカー等の適宜な固着手段１５により固着されている。すなわち、図５に示すように、着席者の身体３５の骨盤３２と大腿骨３１との連結部である臀部３０が位置する部分（図２におけるＺ−Ｚ線の位置）よりも前側は両側枠４、５に固着され、後側は両側枠４、５に固着していない。
【００２８】
実施例では、前記布バネ１３の前記のＺ−Ｚ線部から後方の両側部に切欠部１３ｅ、１３ｅを形成し、該布バネ１３の後部における左右長が両側枠４、５間の内法寸法よりも短く設定されている。これにより、着席時に臀部３０の後側へ屈曲して骨盤３２の後方への回転を抑制する骨盤回転抑制部１３ｇが形成されている。
【００２９】
前記布バネ１３の後縁部１３ｄは、後枠６に達しない長さに形成され、その後縁部１３ｄと後枠６間に空間Ｈを有するように張設されている。また、該布バネ１３の後端１３ｈは、後枠６の前記左右方向における湾曲面に沿って湾曲状に形成されている。そして、該布バネ１３の後縁部１３ｄが付勢手段１４により常時後枠６側へ引っ張られるようにして支持されている。実施例においては、前記付勢手段１４として、引っ張りコイルスプリング（テンションスプリング）を用いているが、その他、ゴム等の弾性材を用いても良い。
【００３０】
この付勢手段であるコイルスプリング１４の張力は、後述するように、着席者の臀部３０での荷重を支えるとともに、骨盤回転抑制部１３ｇによって骨盤の回転を抑制できる張力に設定されている。
【００３１】
前記付勢手段であるコイルスプリング１４の取付けは、布バネ１３の後縁部１３ｄに、その左右方向に沿って取付具であるワイヤー１７を固設し、後枠６に、その左右方向に沿って取付具であるワイヤー１８を固設し、コイルスプリング１４の前端をワイヤー１７に掛け、後端をワイヤー１８に掛けて架設されている。更に、コイルスプリング１４は複数本、左右方向に適宜間隔を有して設けられている。
【００３２】
前記のように、布バネ１３の後縁部１３ｄに沿ってワイヤー１７を配置することにより、着席時における布バネ１３の後縁部１３ｄの曲がりが滑らかになり、かつ、コイルスプリング１４の荷重を均等に布バネ１３に作用させることができる。
【００３３】
前記布バネ１３の表面には、図４に示すように、薄いクッション材２０、２０ａが２層で配置され、その上に、更に表皮材２１を設けて被覆されている。なお、このクッション材２０、２０ａと表皮材２１を設けない構造としてもよい。
【００３４】
以上の構造であるため、次のような作用、効果を発揮できる。
使用者が布バネ１３上に着席すると、臀部３０が図５に示すように、Ｚ線の近傍に位置し、図５に示すように、布バネ１３における臀部３０が位置する部分１３ｆがコイルスプリング１４を引き伸ばして沈み込む。
【００３５】
この沈み込み状態における布バネ１３による身体３５の支承状態について説明する。
臀部３０よりも前側においては、布バネ１３が前後方向（Ｙ−Ｙ方向）にほとんど伸張しないことから、図５に示すように、臀部３０から膝部３３までは、その前後方向において滑らかな曲線状態（基本的な理想ライン）で大腿部３１ａを支承する。また、大腿部３１ａにおける布バネ１３は両側枠４、５に固着されているとともに、左右方向に伸縮するため、大腿部３１ａにおける横断面の裏面に沿って布バネ１３が湾曲し、大腿部３１ａのサポート感が増し、座り心地が良くなる。
【００３６】
また、布バネ１３における臀部３０が位置する部分より後側の部分１３ｇは、その布バネ１３が前後方向（Ｙ−Ｙ方向）にほとんど伸縮せず、かつ、両側部が側枠４、５に固着されていないことから、図５に示すように、布バネ１３の後縁部１３ｄがコイルスプリング１４により後枠６方向、すなわち、斜め上方へ引っ張られる。そのため、この後部である骨盤回転抑制部１３ｇが図５に示すように、沈み込んだ臀部３０の後面を前方へ押すように屈曲し、骨盤３２の後方への回転を抑制し、鉛直線に対する骨盤３２の後方への傾斜角θ３が、前記従来の傾斜角θ１、θ２よりも小さくなる。
【００３７】
従って、体圧分散が良く、骨盤３２の後方への回転を抑制して直立姿勢に近い脊椎３６Ｓ字カーブを維持でき、長時間の座りに対する痛みや疲労感を低減することができる。
【００３８】
更に、座部に布バネ１３を使用することにより、座部を薄くして必要なクッション性を発揮できる。
【００３９】
次に、背もたれについて説明する。
背もたれを構成する背枠９は、図４に示すように、上部が後方へ傾斜し、かつ、上下方向の中間部（着席者の腰部付近）が前方へ湾曲する左右の側枠１０、１１と、該両側枠１０、１１の上端間に架設するとともに中央部が後方へ曲がるように湾曲した上枠１２と、前記座枠２の後枠６を兼用する下枠（該下枠を下枠６ともいう）とから構成され、これらの間に背もたれ側の背受シート４０が配置されている。
【００４０】
前記背受シート４０は、着席者の荷重を支承でき、かつ、屈曲性を有する布等を用いることが出来るが、特に布バネを用いると良く、実施例では布バネを用いている。そのため、以下の説明では背受けシート４０を布バネ４０として説明する。
【００４１】
前記布バネ４０は、前記布バネ１３と同様の布バネを使用しており、背もたれの上下方向（図１のＹ−Ｙ方向）には、ほとんど伸縮せず、左右方向（図１のＸ−Ｘ方向）には伸縮するように配置されている。すなわち、Ｙ−Ｙ方向（上下方向）の伸び率が、Ｘ−Ｘ方向（左右方向）の伸び率より小さく設定されている。
【００４２】
前記布バネ４０は、着席者の肩胛骨が位置する部分を欠除して形成され、実施例においては、布バネ４０の上部の左右の隅部に切欠部４１を形成している。更に、布バネ４０の下部の左右隅部に切欠部４２が形成されている。
【００４３】
すなわち、図３の布バネ４０において、左右側枠１０、１１間の中央線Ａ−Ａを中心として左右方向に所定幅Ｗ１を有して上方へ突出する上側突部４０ａと、中央線Ａ−Ａを中心として左右方向に所定幅Ｗ２を有して下方へ突出する下側突部４０ｂと、着席者の座位臍点高付近を通る水平線と同じ高さを通る布バネ４０上での水平線Ｂ−Ｂを中心として上下方向に所定幅Ｗ３を有して左方、右方へ突出する左側突部４０ｃと右側突部４０ｄとで形成され、全体として、上側突部４０ａと下側突部４０ｂを有する縦帯状部と、左右側突部４０ｃと４０ｄを有する横帯状部とで略十字状に形成されている。
【００４４】
なお、前記Ｗ１は５０〜１００ｍｍが好ましく、実施に際しては１００ｍｍに設定した。また、前記Ｗ２は２００ｍｍ以上が好ましく、実施に際しては２００ｍｍに設定した。また、前記Ｗ３は、前記Ｂ−Ｂ線を中心とする幅で１００〜１５０ｍｍが好ましく、実施に際しては１００ｍｍに設定した。また、実施例では、上部の切欠部４１の左右幅は上部突部４０ａの幅Ｗ１よりも大きく形成されている。
【００４５】
更に、前記布バネ４０の上側突部４０ａの上端部は前記上枠１２に固着され、下側突部４０ｂの下端は前記下枠６に固着され、左側突部４０ｃの左端は左側枠１０に固着され、右側突部４０ｄの右端は右側枠１１に固着されている。これらの固着はタッカー等の適宜な固着手段１５を用いる。
【００４６】
上記のような布バネ４０の形状と取付け状態により、布バネ４０上での前記Ａ−Ａ線とＢ−Ｂ線の交差部Ｏの付近が、他の部分より最も張力が強い（硬い）部分となる。実施例では、前記下枠６から前記Ｂ−Ｂ線（交差部Ｏ）までの高さＷ４は１８０ｍｍに設定した。
【００４７】
更に、背もたれの左右側枠１０、１１の上下方向の中間部（着席者の腰部付近）が前方へ湾曲しているため、布バネ４０はその縦方向において、図４に示すように、左側突部４０ｃと右側突部４０ｄを有する腰部付近が前方へ湾曲して突出する形状に設定される。
【００４８】
なお、前記布バネ４０の表裏側に表張材と背裏張り材を設けて、布バネ４０の表裏を被覆してもよい。
【００４９】
以上の構成により、次のような作用、効果を発揮する。
布バネ４０は、その上下方向（Ｙ−Ｙ方向）にはほとんど伸縮しないため、布バネ４０の中央部（Ａ−Ａ線部）を中心とする左右幅Ｗ１における上下間は後方への伸びを伴う屈曲が抑制され、この部分（Ａ−Ａ線部）が着席者の背骨に沿い、直立姿勢に近い脊椎Ｓ字カーブを支持して、背筋が伸びた姿勢を維持することが出来る。
【００５０】
また、肩胛骨が位置する部分に切欠部４１を設けて布バネ４０が存在しないようにしたので、肩胛骨が布バネ４０に当ることが無く、もたれ感を良くすることが出来る。
【００５１】
また、布バネ４０の下側突部４０ｂの左右幅Ｗ２を上側突部４０ａの左右幅Ｗ１よりも大きくしたことにより、背骨より左右幅が大きい骨盤の後部を支持するとともに、骨盤の後方への回転を抑制して、長時間の座りに対する痛みや疲労感を低減することができる。
【００５２】
また、着席者の座位臍点高付近の高さで布バネ４０上を通る水平線Ｂ−Ｂにおいて左右側突部４０ｃ、４０ｄを設けて、これらを左右側枠１０、１１に固着したので、布バネ４０における左右側枠１０、１１間の中心線Ａ−Ａと水平線Ｂ−Ｂの交差部Ｏ付近が最も張力が強くなり、Ｓ字状の背骨を、そのくぼみの位置で支持でき、上半身の荷重を効率良く、安定して支えることができる。
【００５３】
また、前記下側突部４０ｂの左右に切欠部４２、４２を設けたことにより、該下側突部４０ｂの左右方向の張力を、前記交差部Ｏ付近の左右方向の張力よりも弱くして、骨盤付近の支承を一層良くしている。
【００５４】
更に、背もたれ部に布バネを使用することにより、背もたれを薄くして必要なクッション性を発揮できる。
【実施例２】
【００５５】
図６及び図７は前記実施例１における座部の布バネ１３の張設構造の変形例を示す。
本実施例２においては、前記実施例１における座部の布バネ１３の左右縁部１３ｂ、１３ｃを前記座枠２における両側枠４、５に固着せずに自由端とし、布バネ１３の前縁部１３ａは前記と同様に前枠３にタッカー等の固着手段１５で固着し、後縁部１３ｄは前記と同様に付勢手段であるコイルスプリング１４を介して後枠６に連結したものである。
【００５６】
その他の構造は前記実施例１と同様であるため、前記と同一部分には前記と同一符号を付してその説明を省略する。
【００５７】
本実施例２においては、布バネ１３の両側縁部１３ｂ、１３ｃが両側枠４、５に固着されていないが、布バネ１３の前縁部１３ａが前枠３に固着され、後縁部１３ｄが付勢手段であるコイルスプリング１４を介して後枠６に連結されていることにより、図７のＺ−Ｚ線部に着席者の臀部３０が位置すると、該臀部３０の部分の布バネ１３が沈み込み、後部の骨盤回転抑制部１３ｇが前記実施例１と同様にコイルスプリング１４で斜め上方へ引っ張られ、前記実施例１と同様に骨盤３２の後方への回転を抑制し、前記実施例１と同様の効果を発揮できる。
【００５８】
なお、布バネ１３の両側縁部１３ｂ、１３ｃが両側枠４、５に固着されていないため、前記実施例１のような、大腿部３１ａの横断面方向の曲がりは前記実施例１よりは少なくなる。
【００５９】
本実施例２の椅子における背もたれ部５０は、前記実施例１の背もたれにおける略十字状の布バネは設けられていない。
【００６０】
しかし、該実施例２の椅子の背もたれ部５０を、前記実施例１と同様の背受シート４０、すなわち、前記の略十字状の布バネ４０を用いた背もたれの構造としても良い。
【実施例３】
【００６１】
図８は前記実施例１における背受シートである布バネ４０の変形例を示す第３実施例である。
【００６２】
本実施例３は、前記図１乃至図４に示す布バネ４０における下側の左右隅部の切欠部４２、４２を形成することなく、前記左側突部４０ｃと右側突部４０ｄの下端側を下枠６まで延長して、臍点高付近、すなわち、前記Ｂ−Ｂ線付近の高さから下枠６に至る幅で左右側枠１０、１１に達する腰受部４０ｅを形成したものである。
【００６３】
したがって、背受シートである布バネ４０は、上部両側にのみ切欠部４１、４１を形成した形状となっている。
【００６４】
その他の構造は、前記実施例１、２と同様であるため、前記と同一部分には前記と同一符号を付してその説明を省略する。
【００６５】
本実施例３においても肩胛骨が背受シートに当らず、もたれ心地が良くなる。
【実施例４】
【００６６】
図９は、前記実施例１の背受シートである布バネ４０の左側突部４０ｃの左端と前記左側枠１０との連結及び前記右側突部４０ｄの右端と右側枠１１との連結を、弾性材６０を介して連結した実施例４を示す。
【００６７】
前記弾性材６０は、前記布バネ４０の左側突部４０ｃを左方へ付勢し、右側突部４０ｄを右方へ付勢する付勢手段であれば良く、例えば、引張りコイルスプリングやゴム等を使用できる。
【００６８】
その他の構造は、前記実施例１、２と同様であるため、前記と同一部分には前記と同一符号を付してその説明を省略する。
【００６９】
本実施例４によれば、前記実施例１の布バネ４０に比べて、左右方向の張りが柔らかくなり、フィット感が増す効果がある。
【実施例５】
【００７０】
前記図８に示す実施例３における布バネ４０の腰受部４０ｅの左右端を、前記実施例４の弾性材（付勢手段）６０を介して左右側枠１０、１１に連結しても良い。
【図面の簡単な説明】
【００７１】
【図１】本発明の実施例１を示す椅子の斜視図で、座部及び背もたれ部の表皮材は省略されている。
【図２】図１の平面図。
【図３】図１の正面上方から見た図。
【図４】図３におけるＤ−Ｄ線断面図。
【図５】本発明の実施例１における着席状態を説明する模式図。
【図６】本発明の実施例２を示す椅子の斜視図。
【図７】図６の平面図。
【図８】本発明の実施例３を示す椅子の斜視図。
【図９】本発明の実施例４を示す椅子の斜視図。
【図１０】従来技術１を示す模式図。
【図１１】従来技術２を示す模式図。
【符号の説明】
【００７２】
１  椅子
２  座枠
３  前枠
４、５  側枠
６  後枠
９  背枠
１３  座部シート（布バネ）
１３ａ  前縁部
１３ｂ、１３ｃ  側縁部
１３ｄ  後縁部
１４  付勢手段
１５  固着手段
【図１】
2009106345.tif 000003
【図２】
2009106345.tif 000004
【図３】
2009106345.tif 000005
【図４】
2009106345.tif 000006
【図５】
2009106345.tif 000007
【図６】
2009106345.tif 000008
【図７】
2009106345.tif 000009
【図８】
2009106345.tif 000010
【図９】
2009106345.tif 000011
【図１０】
2009106345.tif 000012
【図１１】
2009106345.tif 000013